(57)【特許請求の範囲】
【請求項１】
写真等を壁面に貼着してディスプレーするのに使用し、離型層、接着層および本体層からなる透明積層体を原反として製造され、前記接着層が、壁面を損傷させずに剥がし可能な接着剤からなる額縁シールであって、
該額縁シールは、額縁本体と、該額縁本体の外周部に裏側刻設線で区画された前記離型層で形成される台紙とで構成され、
前記額縁本体は、使用時接着層が露出する枠部と、該枠部に囲繞され、離型層、接着層および本体層からなる写真等保持部とを備え、また、
前記台紙は、前記枠部の外周側が離型層のみからなるマージン部と、該マージン部の離型層が前記枠部側へ延設されて、該枠部の前記接着層を使用直前まで被覆保護する保護部と、を備えており、更に、
前記額縁本体の枠部における一箇所以上に、前記額縁本体の剥がし用タブを備え、
該剥がし用タブが、枠部の外周縁が部分的に貫通切断されて切れ込み部とされるとともに、その内側に指でつまみ可能なタブ部を形成可能に離型層のみ非貫通切断されることにより、形成されている、
ことを特徴とする額縁シール。
【請求項２】
前記枠部が多角環状とされ、前記剥がし用タブを枠部のコーナ部に備えていることを特徴とする請求項１記載の額縁シール。
【請求項３】
前記枠部の内周縁の一箇所以上に、写真等の仮接着部を備え、
該仮接着部は、枠部の貼着部の接着層を、前記写真等保持部側へ面状に部分突出させて、又は、前記枠部に沿って連続線状的または非連続線状的に突出させて、形成されていることを特徴とする請求項１又は２記載の額縁シール。
【請求項４】
請求項１、２又は３記載の額縁シールを製造する方法であって、
前記透明積層体からなる原反を繰り出して、前記離型層のみ非貫通切断する裏側刻設線形成工程、前記本体層および前記接着層を非貫通切断する表側刻設線形成工程、及び、巻き取りにより前記枠部外側の本体層および接着層を除去する不要部除去工程を経て製造することを特徴とする額縁シールの製造方法。
【請求項５】
請求項４記載の額縁シールを製造する方法であって、
前記裏側刻設線形成工程において、前記枠部の内周縁に沿う離型層剥離用の刻設線とともに前記剥がし用タブの非貫通の刻設線を形成し、また、
前記表側刻設線形成工程において、前記不要部除去のための刻設線とともに、前記剥がし用タブの貫通刻設線を形成し、
該貫通刻設線の形成は、前記貫通刻設線の形成部位に、貫通切断用の切断刃を受け可能に前記離型層の厚みに略等しい厚みのスペーサを配して行なうことを特徴とする額縁シールの製造方法。
【発明の詳細な説明】
【技術分野】
【０００１】
本発明は、額縁シールに関する。詳しくは、写真、ポストカード、さらには、標語等の文字情報記載シート等（以下、「写真」等）を室内壁面に貼り付けてディスプレーするのに使用し、離型層（剥離層）、接着層（粘着層）および本体層からなる透明積層体を原反（素材）として製造される額縁シールおよびその製造方法に係る発明である。
【背景技術】
【０００２】
従来、写真等を室内壁面に貼り付けるには、画鋲や両面テープで貼り付けていた。そのような場合、写真等を損傷するとともに、壁面自体も損傷するという問題点が発生する。
【０００３】
また、写真等は、装飾効果を付与させて、貼り付けることが望ましい。
【０００４】
このため、上記の問題点が解決できるとともに、装飾効果を付与できる写真等の貼り付け手段の出現が要望されていた。
【０００５】
しかし、本発明者は、そのような要望に簡便に応えることのできる、貼り付け手段は、寡聞にして知らない。事実、特許電子図書館（ＩＰＤＬ）における公報テキスト検索において、検索式＝「A47G1/17」and「額or縁飾り」and「積層体」and「シールor粘着」and「透明」で検索の結果、ヒット件数０件であった。
【０００６】
本発明の特許性に影響を与えるものではないが、本発明の額縁シールの製造方法に関連する先行技術文献として、特許文献１がある。
【先行技術文献】
【特許文献】
【０００７】
【特許文献１】特開２０１０−２４２０１４号公報
【発明の概要】
【発明が解決しようとする課題】
【０００８】
本発明は、上記にかんがみて、写真等および壁面自体を損傷させずに貼り付けることのでき、しかも、写真等に装飾効果を付与できる額縁シールおよびその製造方法を提供することを目的とする。
【課題を解決するための手段】
【０００９】
本発明者らは、上記課題を解決するために鋭意開発に努力をした結果、下記構成の額縁シールに想到した。
【００１０】
写真等を壁面に貼着してディスプレーするのに使用し、離型層、接着層および本体層からなる透明積層体を原反として製造され、前記接着層が、壁面を損傷させずに剥がし可能な接着剤からなる額縁シールであって、
該額縁シールは、額縁本体と、該額縁本体の外周部に裏側刻設線で区画された前記離型層で形成される台紙とで構成され、
前記額縁本体は、使用時接着層が露出する枠部と、該枠部に囲繞され、離型層、接着層および本体層からなる写真等保持部とを備え、また、
前記台紙は、前記枠部の外周側が離型層のみからなるマージン部と、該マージン部の離型層が前記枠部側へ延設されて、該枠部の前記接着層を使用直前まで被覆保護する保護部と、を備えていることを特徴とする。
【００１１】
上記構成の額縁シールの製造は、下記方法で行なうことが望ましい。
【００１２】
前記離型層、接着層および本体層からなるロール原反を繰り出して、前記離型層のみ非貫通切断する裏側刻設線形成工程、前記本体層および前記接着層を非貫通切断する表側刻設線形成工程、及び、巻き取りにより前記縁飾り部外側の本体層および接着層を除去する不要部除去工程を経て製造することを特徴とする。
【図面の簡単な説明】
【００１３】
【図１】本発明の一実施形態を示す額縁シールの使用前斜視図である。
【図２】図１の額縁シールの離型層を剥離した使用直前の２−２線部位断面図である。
【図３】図１の額縁シールの製造方法の一例を示す工程図（各工程の刻設型又は切断型の平面図を付記してある。）。
【図４】（１）、（２）はそれぞれ裏側刻設線形成工程およびピース分断線形成工程における平面図および断面図である。
【図５】本発明の額縁シールの使用態様説明図である。
【図６】（１）、（２）は、本発明の額縁シールの製造に使用できる枚葉原反の各例を示す裏向き斜視図である。
【発明を実施するための形態】
【００１４】
以下、本発明の実施形態について説明する。
【００１５】
ここでは、図１に示す、額縁本体の縁飾り部（枠部）が矩形環状のものを例に採り説明する。縁飾り部の形状は、他の多角形（ひし形、三角形、六角形）環状、さらには、楕円環状、円環状等任意である。
【００１６】
本発明の額縁シールは、写真等を壁面に貼着してディスプレーするのに使用し、離型層（剥離層）ａ、接着層（粘着層）ｂおよび本体層ｃからなる透明積層体を原反（素材）として、製造されるものである（図３参照）。
【００１７】
ここで、離型層ａは離型処理された透明プラスチックで、本体層ｃは透明プラスチックでそれぞれ形成される。上記透明プラスチックは、ポリエステル（ＰＥＴ）やポリエチレン、ポリプロピレン、ポリ塩化ビニル（ＰＶＣ）等の軟質プラスチックを使用可能である。
【００１８】
これらの内で、本体層ｃは、印刷層１５ａを形成する場合、印刷性に優れているＰＶＣやＰＥＴ等の極性プラスチックが望ましい。
【００１９】
また、接着層ｂは、壁面を損傷せずに剥がし可能な接着剤（粘着剤）で形成する。具体的には、そのような特性を満足させる各種市販品・特注品を使用可能である。
【００２０】
上記各層の厚みも、特に限定されず、選択材料により異なるが、例えば、本体層ｃ及び離型層ａは２０〜５００μｍ、望ましくは３０〜１００μｍの範囲から適宜選択し、接着層ｂは１０〜５０μｍの範囲から適宜選択する。
【００２１】
本実施形態の額縁シールは、基本的には、額縁本体１１と額縁本体１１と、額縁本体１１の外周部に裏側刻設線Ｃ１で区画された離型層ａで形成される台紙１３とで構成されている。
【００２２】
額縁本体１１は、使用時、接着層ｂが露出する縁飾り部（枠部）１５と、該縁飾り部１５に囲繞され、離型層ａ、接着層ｂおよび本体層ｃからなる写真等保持部１９と、を備えている。本実施形態では、本体層ｃの上面を印刷（印刷層１５ａ）して縁飾り部（枠部）１５としてある。
【００２３】
該縁飾り部１５は、上記印刷に限らず、蒸着、箔押し、塗装、染色等によって形成してもよく、さらには裏面側や中間部にインサート形成してもよい。さらには、縁飾り部を装飾処理していない単なる「枠部」としてもよい。
【００２４】
ここで、縁飾り部１５の外周縁に沿って、表面ハーフ抜き（本体層ｃおよび接着層ｂの切断）により表側刻設線Ｃ３が形成されて、不要部である本体層ｃおよび接着層ｂが除去されている。また、縁飾り部１５の内周縁に沿って、裏面ハーフ抜き（離型層ａの切断）により裏側刻設線Ｃ１が形成されて、縁飾り部１５の裏面側が剥離可能とされている。
【００２５】
他方、台紙１３は、縁飾り部１５の外周側が離型層ａのみからなるマージン部２１と、該マージン部２１の離型層ａが縁飾り部１５側へ延設されて、縁飾り部１５の接着層ｂを使用直前まで保護する保護部２３とを備えている。
【００２６】
ここで、マージン部２１は前記表側刻設線Ｃ３により区画形成され、保護部２３は前記裏側刻設線Ｃ１により区画形成される。
【００２７】
本実施形態では、さらに、縁飾り部１５における少なくとも一箇所（図例では対角位置にある角部に二箇所）、額縁本体１１の剥がし用タブ２５を備えている。剥がし用タブ２５を指でつまんで、額縁本体１１を台紙１３から剥がすことができる。このため、額縁本体に指紋をつけたり、また、指を接着層ｂで汚したりすることがない。ここでは、図５に示す如く、額縁シールを横長にして使用する場合を想定している。縦長にして使用する場合は、対角位置は逆方向となるが、限定されるものではない。
【００２８】
図例では剥がし用タブ２５は略三角形状で、下記のようにして形成されている。表側刻設線Ｃ３が部分的にフルカット（貫通切断）された貫通表側刻設線Ｃ３´と、副裏側刻設線Ｃ１´とで区画形成されている。この剥がし用タブ２５の形状は分割円状であってもよい。
【００２９】
さらに、縁飾り部１５の内周縁の一箇所以上（図例では各辺に一つずつ４箇所）に、写真等の仮止め部２７を備えている。
【００３０】
仮止め部２７は、縁飾り部１５裏面の貼着部１７の接着層ｂを、写真等保持部１９側へ面状に部分突出させて形成したものである。仮止め部２７の平面形状は、図例では半円状であるが、三角形状や四角形状さらには台形状であってもよい。また、仮止め部２７は図例の如く辺上でなく四隅に形成してもよく、さらには、縁飾り部１５（貼着部１７）内縁に沿って線状に連続突出させて形成してもよい。
【００３１】
次に、上記額縁シールの製造方法の一例について説明する。
【００３２】
離型層ａ、接着層ｂおよび本体層ｃからなる原反（既製品を使用可能）３１を繰り出しロール（図示せず）から繰り出し順送りを行ない、下記、（１）裏側刻設線形成（裏側ハーフ抜き）工程、（２）表側刻設線形成（表側ハーフ抜き）工程、（３）不要部除去工程、および（４）裁断工程を経て製造する（図３〜４参照）。
【００３３】
（１）裏側刻設線形成工程：
裏側刻設線（裏側ハーフ抜き）Ｃ１、Ｃ１´を形成する工程である。部分的に半円状の内側突出部３５ａを２回回転対称位置に備えた変形四角形刃３５および変形四角形刃３５の対角線位置外側に一対の斜設刃３６備えた裏側刻設型３７に対して上押し型３９で原反３１を押圧することにより、本体層ｃ及び接着層ｂを残すように離型層ａのみを切断する（図４（１））。なお、原反の両側の裏側刻設線Ｃ１は、ロータリー刃で形成してもよい。
【００３４】
（２）表側刻設工程：
表側刻設線Ｃ３（貫通表側刻設線Ｃ３´を含む。）を形成する工程である。下受け型４１で原反３１を支持しながら、四角形刃４３を備えた表側刻設型４５を下降させて、本体層ｃおよび接着層ｂを、離型層ａを残すようにして切断する（図４（２））。
【００３５】
この際、裏側刻設線Ｃ１の四角形内で、斜設線である前記副裏側刻設線Ｃ１´と交差する裏側刻設線Ｃ１の対角線上の角部位置に離型層ａの厚みに略等しい厚みのスペーサ４７を配設しておく。このスペーサ４７の配設態様は、例えば、ステンレス製ピースを両面テープ等で貼着することにより行なう（特許文献１の要約等参照）。こうして、表側刻設線Ｃ３の対角線上の二箇所角部で貫通表側刻設線Ｃ３´が形成され、切れ込み部２５ａが形成される。
【００３６】
（３）不要部除去工程：
縁飾り部１５の外側を離型層ａを残して表側不要部４９（本体層ｃおよび接着層ｂ）を巻き取りロール５０で巻き取って除去する工程である。マージン部２１の表側刻設線Ｃ３四角形外側における離型層ａ上側の本体層ｃを接着層ｂとともに剥がしてマージン部２１を離型層ａのみとする。この不要部除去工程により額縁シールの刻設不良の検査を兼ねることができる。
【００３７】
（４）裁断工程
続いて、裁断機６０で、四角形の額縁シールを一枚ずつに又は複数枚ずつ、裁断して、額縁シール又は額縁シール組を連続的に製造する。なお、複数枚ずつを組にするときは、額縁シール相互間は、切断用ミシン目等形成しておく。
【００３８】
また、本発明の額縁シールは、上記実施形態に限られず、各請求項に記載された範囲内において各種態様に及ぶものである。
【００３９】
額縁シールの大きさは、通常、写真を想定した場合は、キャビネ版とするが、Ｂ５版やＡ４版の大きさのものも飾れるような大きさのものにすることも勿論可能である。
【００４０】
次に、上記の如く製造した額縁シールの使用態様について説明する（図５参照）。
【００４１】
（１）剥がし用タブ２５の切れ込み２５ａに指を差込み、額縁本体１１を台紙１３から剥がす。このとき、剥がし用タブ２５は裏面にも離型層ａが残っているため、指に接着剤が付着するようなことはない。
【００４２】
（２）額縁本体１１を裏返し、写真等保持部１９の上に写真Ｐが中心にくるように載せる。このとき、写真等保持部１９の稜線に沿って、複数個所に接着層ｂが離型層ａで覆われていない仮止め部２７（図例では４箇所）が存在する。
【００４３】
（３）仮止め部２７を写真Ｐの上から押えた後、剥がし用タブ２５を指で持って、壁面の必要な箇所に、掌等又は綺麗なシートを用いて、壁面に押えつける。当然、壁面は予めホコリや油分を除去しておく。すると、縁飾り部１５の裏面は接着層ｂとなっているため、所要部位に貼り付けができる。こうして、写真等に装飾効果を付与して貼り付け可能となる。
【００４４】
また、接着層ｂは、はがし可能で再貼り付け可能な特性を有する接着剤で形成されているため、適宜、壁面から剥がして、別部位に貼り付け可能である。
【００４５】
この際、壁面を傷つけることなく、また、大切な写真等も損傷することない。
【００４６】
上記では、生産性の見地から、原反としてロール原反を例に採るが、枚葉原反を一枚ずつ手送り乃至機械送りしてもよい。
【００４７】
例えば、図６（１）に示すような、離型層ａを剥離可能に、直線状の裏側刻設線Ｃ２を両側部に形成して、さらには、前後端部に形成された枚葉原反３２を好適に使用できる（図例では両側部のみ）。また、同じく、前後端を内側へ斜設ないし湾曲させた裏側刻設線Ｃ２´を、両側部に形成した枚葉原反３２´も好適に使用できる。この枚葉原反３２´は、斜設部を形成することにより離型層ａを剥がし易くなる。
【００４８】
また、以上の説明で、離型層を剥離するための、裏側刻設線は直線ないし曲線（湾曲線）で構成されるもとしたものを例に採ったが、該裏側刻設線は、ジグザグ線（例えば、正弦波状、三角歯状、矩形波状、等）とすることもできる。裏側に指の引っ掛かり部を形成でき離型層を剥がしやすくなることが期待できる。
【符号の説明】
【００４９】
１１    額縁本体
１３    台紙
１５    枠部（縁飾り部）
１９    写真等保持部
２１    マージン部
２５    剥がし用タブ
ａ    離型層（剥離層）
ｂ    接着層（粘着層）
ｃ    本体層
Ｃ１    裏側刻設線
Ｃ１´    副裏側刻設線
Ｃ３    表側刻設線
Ｃ３´    貫通表側刻設線
【図１】
0005839448.tif 000002
【図２】
0005839448.tif 000003
【図３】
0005839448.tif 000004
【図４】
0005839448.tif 000005
【図５】
0005839448.tif 000006
【図６】
0005839448.tif 000007